(57)【要約】【課題】電源の配慮なしに半永久的に稼働する薄型ディスプレイやスピーカ等を具備した墓標装置。【解決手段】墓石または墓石に相当する基部（１）およびその基部（１）に付帯する付帯装置を含んで構成された墓標装置であって、葬られ祀られた故人またはペットに関連する画像および／または音声を予め記録しておき任意に再生可能な再生手段（３）と、その再生手段（３）を稼働するための太陽電池（４）と、を備えた。なお、一般の個人が居住する室内、または庭に設置可能なミニチュアにも対応した。【選択図】図１
0003125715.tif 000002
【実用新案登録請求の範囲】
【請求項１】
墓石または墓石に相当する基部（１）および前記基部（１）に付帯する付帯装置を含んで構成された墓標装置であって、
祀られた故人またはペットに関連する画像および／または音声を予め記録しておき任意に再生可能な再生手段（３）と、
前記再生手段（３）を稼働するための太陽電池（４）と、を備えたことを特徴とする墓標装置。
【請求項２】
前記再生手段（３）には、
前記画像および／または音声に関するアナログ信号が符号化されたデジタル情報を記憶再生可能な情報記憶媒体（３１）と、
前記情報記憶媒体（３１）から再生されたデジタル情報を復号化する復号化手段（３２）と、
前記復号化手段（３２）により復号化されたアナログ信号を視覚および／または聴覚で認識可能な形態に出力表示する視聴覚表示手段（３３）と、を備え、
前記電源を安定供給するために、
前記太陽電池（４）により発電する電力を充放電可能なバッテリー（５）と、を備えたことを特徴とする請求項１に記載の墓標装置。
【請求項３】
前記情報記憶媒体（３１）としてのＥＥＰＲＯＭまたはフラッシュメモリと、
画像再生手段（３４）としての画像信号処理部（３５）および液晶表示部（３６）と、
音声再生手段（３７）としての増幅機（３８）およびスピーカ（３９）と、を備えたことを特徴とする請求項２に記載の墓標装置。
【請求項４】
前記再生手段（３）を任意に再生可能とするためのスイッチ（６）と、
前記スイッチ（６）の操作に応じて起動し１単位または所定単位の再生情報を再生して動作を終了する制御手段（７）と、を備えたことを特徴とする請求項１ないし請求項３の何れか１項に記載の墓標装置。
【請求項５】
前記基部（１）に、
収納凹部（２）と、
前記収納凹部（２）の入り口に嵌着して封緘可能な蓋（２１）と、を備えたことを特徴とする請求項１ないし請求項４の何れか１項に記載の墓標装置。
【請求項６】
室内に設置可能なミニチュアであることを特徴とする請求項１ないし請求項５の何れか１項に記載の墓標装置。
【考案の詳細な説明】
【技術分野】
【０００１】
本考案は、主に墓石等により構成された墓標装置に関し、特に故人または死んだペットを偲ぶ画像や音声を再生する機能を付設した墓標装置に関するものである。
【背景技術】
【０００２】
宗派の異なる仏壇、墓、墓地や遺影、過去帳等神仏に関する情報を画像および文字情報として記録媒体化し、情報処理装置によって適時表示させることにできる宗派／国境を超えた薄型の神仏表示装置が知られている（特許文献１）。
【０００３】
具体的には、表示体に液晶、プラズマ、ＥＬ等による薄型ディスプレイを用い、日常的には時計や環境ビデオ等の動画、絵画や写真、地図のような静止画を選択的に表示する。必要に応じて神仏に関する画像や文字の情報を選択的に表示することで宗派、国境を超えたマルチ神仏具を具現することのできる額型の表示装置および記録媒体である。
【０００４】
一方、墓石の近傍に写真表示具を設置し、この写真表示具に有底穴を開けるとともに、この有底穴の底面に写真を設置し、この有底穴の開口部に蓋体を着脱可能に設置した墓石用写真表示装置も知られている（特許文献２）。
【０００５】
具体的には、墓石を傷つけることなく、蓋を外したときにのみ前記写真を見ることができ、写真が常時不特定多数のものに曝されるのを防止できる。遺族の立場としては、墓を粗末にすることなく、故人（死んだペット）の尊厳が維持され、安心してお祀りすることができるものである。また、第三者としては、従来のように、見知らぬ死者に囲まれているかの如く思うことは無く、落ちついて墓参りができるように工夫されたものである。
【０００６】
前記表示装置等に関連する公知文献として、下記の文献がある。
【特許文献１】特開平８−１７３３０８号公報（［０００７〜０００８］、図１〜図４）
【特許文献２】特開２００６−３７４２３号公報（［０００６〜００１９］、図２）
【考案の開示】
【考案が解決しようとする課題】
【０００７】
しかしながら、薄型ディスプレイ等を用いた墓標装置には電源が必要であるにもかかわらず、長い年月にわたる風雪雨水に耐えて所要の電源供給を継続できるようにしたものはなかった。そこで、本考案は、前記実情に鑑みてなされたものである。すなわち、薄型ディスプレイ等を適宜に稼働できて、しかも、電源への配慮なしに半永久的な稼働を実現した墓標装置の提供を課題とする。
【課題を解決するための手段】
【０００８】
請求項１に係る考案は、墓石または墓石に相当する基部（１）および前記基部（１）に付帯する付帯装置を含んで構成された墓標装置であって、祀られた故人またはペットに関連する画像および／または音声を予め記録しておき任意に再生可能な再生手段（３）と、前記再生手段（３）を稼働する電源としての太陽電池（４）と、を備えたことを特徴とする墓標装置である。
【０００９】
請求項１に係る考案によれば、祀られた故人またはペットに関連する画像および／または音声を予め記録しておき任意に再生可能な再生手段（３）が、墓石に相当する基部（１）に付帯して墓標装置が構成されている。
【００１０】
このような構成の墓標装置は、予め記録しておいた故人またはペットに関連する画像および／または音声を再生手段（３）により再生可能である。したがって、祀られた故人またはペットを偲ぶ効果が格段に優れている。
【００１１】
請求項２に係る考案は、前記再生手段（３）として、前記画像および／または音声に関するアナログ信号が符号化されたデジタル情報を記憶再生可能な情報記憶媒体（３１）と、前記情報記憶媒体（３１）から再生されたデジタル情報を復号化する復号化手段（３２）と、前記復号化手段（３２）により復号化されたアナログ信号を視覚および／または聴覚で認識可能な形態に出力表示する視聴覚表示手段（３３）と、を備え、前記電源を安定供給するために、前記太陽電池（４）により発電する電力を充放電可能なバッテリー（５）と、を備えたことを特徴とする請求項１に記載の墓標装置。
【００１２】
請求項２に係る考案によれば、情報記憶媒体（３１）には、画像および／または音声に関するアナログ信号を圧縮したデジタル情報として記憶再生するので、相当の情報量でも超小型軽量かつ簡便な情報記憶媒体（３１）に記憶できる。
【００１３】
情報記憶媒体（３１）に記憶されたデジタル情報は復号化手段（３２）により復号化されることにより、元のアナログ信号に再生される。復号化手段（３２）により復号化されたアナログ信号は、視聴覚表示手段（３３）により、視覚および／または聴覚で認識可能な形態に再生される。
【００１４】
また、再生手段（３）を稼働する電源に用いる、太陽電池（４）の発電する電力が照度に応じて変化することを補完するように、この太陽電池（４）による発電電力をバッテリー（５）に充放電しながら再生手段（３）へ安定供給することにより、明暗の交代する環境にあって暗い時にも再生手段（３）を稼働することができる。
【００１５】
請求項３に係る考案は、前記情報記憶媒体（３１）としてのＥＥＰＲＯＭまたはフラッシュメモリと、画像再生手段（３４）としての画像信号処理部（３５）および液晶表示部（３６）と、音声再生手段（３７）としての増幅機（３８）およびスピーカ（３９）と、を備えたことを特徴とする請求項２に記載の墓標装置である。
【００１６】
請求項３に係る考案によれば、電源ＯＦＦしても記憶内容が消失しないＥＥＰＲＯＭまたはフラッシュメモリで情報記憶媒体（３１）を構成したから、たとえ電源事情が不安定であっても、記憶内容を消失させずに済む。
【００１７】
逆に、この墓標装置のユーザ、メーカ、または管理者等の都合により、情報記憶媒体（３１）の記憶内容を任意に消去、または更新することが可能であるためレンタル、転売、反復利用も可能である。
【００１８】
また、風雪雨水の対策を要する屋外設置であっても、各デバイスに対する防水保護を強化する程度の配慮で足りる。また、屋内設置ならば特段の配慮も要せずに、機械的動作部が一切ないので半永久的な機能維持が可能となり、墓標装置に要求される特質を容易に実現できる。
【００１９】
請求項４に係る考案は、前記再生手段（３）を任意に再生可能とするためのスイッチ（６）と、前記スイッチ（６）の操作に応じて起動し１単位または所定単位の再生情報を再生して動作を終了する制御手段（７）と、を備えたことを特徴とする請求項１ないし請求項３の何れか１項に記載の墓標装置である。
【００２０】
請求項４に係る考案によれば、この墓標装置が構成する墓に墓参するユーザは、付帯装置に配設されたスイッチ（６）の操作をすれば、その操作に応じて制御手段（７）が１単位または所定単位の再生情報を再生して動作を終了する。したがって、祀られた故人またはペットを偲ぶ再生情報を、好みの設定回数、好みの設定番組数だけ再生した後に自動的に動作を終了させることが可能である。
【００２１】
請求項５に係る考案は、前記基部（１）に、収納凹部（２）と、前記収納凹部（２）の入り口に嵌着して封緘可能な蓋（２１）と、を備えたことを特徴とする請求項１ないし請求項４の何れか１項に記載の墓標装置である。
【００２２】
請求項５に係る考案によれば、墓参する際に用いる仏具等の小物、遺影、あるいは遺骨を収納凹部（２）に収納できる。その収納凹部（２）の入り口は、蓋（２１）を嵌着して封緘することが可能である。なお、封緘機構の厳格さは収納物の性質に応じて格付けすればよい。
【００２３】
請求項６に係る考案は、室内に設置可能なミニチュアであることを特徴とする請求項１ないし請求項５の何れか１項に記載の墓標装置である。
【００２４】
請求項６に係る考案によれば、一般の個人が居住する室内または庭にも設置することが可能である。
【考案の効果】
【００２５】
請求項１に係る考案によれば、予め記録しておいた故人またはペットに関連する画像および／または音声を、再生手段により再生することが可能である。したがって、祀られた故人またはペットを偲ぶ効果が格段に優れている。
【００２６】
請求項２に係る考案によれば、相当の情報量でも超小型軽量かつ簡便な情報記憶媒体に記憶できる。また、暗くても再生手段を安定して稼働することができる。
【００２７】
請求項３に係る考案によれば、電源ＯＦＦしても記憶内容が消失しないので、たとえ、電源事情が不安定であっても、記憶内容を消失させずに済む。逆に、本装置のユーザ、メーカ、または管理者等の都合により、情報記憶媒体の記憶内容を任意に消去、または更新することが可能であるため、レンタル、転売、反復利用も可能である。
【００２８】
そして、風雪雨水に対する耐久性、コスト性、小型軽量性、薄型化による設計の容易性を実現し、墓に要求される半永久的な機能維持まで可能となる。
【００２９】
請求項４に係る考案によれば、この墓標装置に墓参するユーザは、スイッチの操作に応じて１単位または所定単位の再生情報を再生して動作を終了する。
【００３０】
したがって、祀られた故人またはペットを偲ぶ再生情報を、好みの設定番組を好みの設定回数だけ再生させることが可能である。
【００３１】
請求項５に係る考案によれば、ユーザが墓参する際に用いる仏具等の小物、遺影、あるいは遺骨を収納凹部に収納し、その入り口に蓋を嵌着して封緘することが可能である。
【００３２】
請求項６に係る考案によれば、一般の個人が居住する室内または庭にも設置することが可能である。
【考案を実施するための最良の形態】
【００３３】
以下、考案を実施形態に係る墓標装置の構成、および動作に関し、図１、図２を用いて説明する。
図１は本実施形態に係る墓標装置（以下、「本装置」という）の付帯装置を説明するブロック図である。
図２は本装置の（ａ）正面図と、（ｂ）側断面図である。
なお、各図にわたって同一効果の部位には同一符号を付して説明の重複をさける。
【００３４】
図１、図２に示す本装置は、墓石または墓石に相当する基部１に付帯する付帯装置を含んで構成されている。この付帯装置には、葬られ祀られた故人またはペットに関連する画像および／または音声（以下、「対象を偲ぶ画像等」ともいう）を予め記録しておき任意に再生可能な再生手段３と、その再生手段３を稼働する電源としての太陽電池４を備えている。
【００３５】
なお、本装置を用いて葬られ祀られる対象として、人とペットを同列に論じているが、本装置の用途を人の墓に限定せず、むしろ昨今の需要に応じるようにペット用として普及させるためであり、公序良俗に反するような意図はない。
【００３６】
さらに、本装置は専らユーザの意思により対象を偲ぶ効果を住居内、またはその近くで実現する記念碑的な置物とすることが主用途であり、必ずしも「遺体」や「遺骨」の収納保管を主目的とするものではない。したがって、「墓地、埋葬等に関する法律」の厳格な適用を除外され、一般の個人が居住する室内、または庭にミニチュア墓標として設置する用途も含まれている。
【００３７】
本装置の概略を簡単に説明すると、例えば、ビデオテープレコーダ、およびモニターテレビのような画像再生装置を墓石に付設したものといえる。そして、ユーザは墓参の都度に対象を偲ぶ画像等を再生し鑑賞できるようにしたものである。
【００３８】
これら付帯装置を稼働する電力は、太陽電池４が発電する電力でまかなわれる。したがって、半永久的に電源確保の配慮を不要にしている。これらの相乗効果により、本装置に葬られ祀られた故人またはペットを偲ぶ効果が格段に優れて発揮できる。
【００３９】
なお、対象を偲ぶ画像等は、動画像と音声を収録、および編集可能なデジタルビデオカメラ等を用いれば素人でも容易に作成できる。収録編集したデジタル情報はＥＥＰＲＯＭまたはフラッシュメモリによる情報記憶媒体３１に保存する。これらは、すでに既存の家電製品を応用する作業である。
【００４０】
さらに、祭祀対象を彷彿とする古い画像情報等を編集して数秒間程度の単位番組を複数にわたって作成した中で、任意の単位番組を選択し、組み合わせ自在に再生可能な状態で保存すればなお好ましい。
【００４１】
このように、ＥＥＰＲＯＭまたはフラッシュメモリで情報記憶媒体３１を構成することにより、付帯装置の電源をＯＦＦしても記憶内容が消失しない。したがって、電源事情が不安定であっても、対象を偲ぶ画像等の記憶内容を消失させずに済む。逆に、必要とあれば、本装置のユーザ、メーカ、または管理者等の都合で任意に記憶内容を消去、または更新することも可能である。
【００４２】
再生手段３は情報記憶媒体３１のほか、以下のように構成されている。
情報記憶媒体３１に保存されたデジタル情報は、いわゆるデジタル情報であるので、このデジタル情報をアナログ信号に復号化する復号化手段３２が配設されており、いわゆるデジタル／アナログ変換処理を行う。
【００４３】
復号化手段３２により復号化されたアナログ信号を、視聴覚表示手段３３により視覚および聴覚で認識可能な形態に再生する。画像については画像再生手段３４として画像信号処理部３５および液晶表示部３６が配設されており、一般的なテレビ画面と同様に画面表示される。なお、対象を偲ぶ画像等が静止画であれ、動画であれ忠実に再生する。
【００４４】
一方、音声再生手段３７として増幅機３８、およびスピーカ３９が配設されており、音声出力される。これらを構成する個々のデバイス、および組み立て構成は、すべて省電力かつ防水設計を配慮すべきである。本装置に要求される風雪雨水に対する耐久性、コスト性、小型軽量性、薄型化による設計の容易性に関し、本願出願時点の技術水準における既存のデバイスを組み合わせることで実現し、予想を超える格段の効果が得られる。
【００４５】
このように、画像および／または音声に関するアナログ信号を符号化圧縮したデジタル情報として記憶再生する情報記憶媒体３１には、相当の情報量でも超小型軽量かつ簡便に記憶できる。そればかりか、機械的に動作する箇所が一切ないので、省電力かつ防水設計、そして、長期間の耐久性が保証されるのである。
【００４６】
また、再生手段３を稼働する太陽電池４は、発電電力が照度に応じて変化するので、所定の照度が必要である。この不安定な太陽電池４の発電電力を補完するように、バッテリー５に充放電しながら再生手段３へ安定供給することにより、暗くても再生手段３を稼働させることができる。
【００４７】
なお、本願出願時点の技術水準における電気化学変化応用タイプのバッテリー５は、充放電回数に応じた化学的疲労と経年劣化による絶対的な寿命がある。しかし、二次電池技術の進歩により半永久稼働が実現する可能性もある。一方、既存の太陽電池４はバッテリー５に比べて長寿命なので、バッテリー５の寿命劣化後でも、明るい環境に限定すれば、受光面を清浄に保つメンテナンス等により、太陽電池４の発電電力のみで長期間の稼働も可能である。
【００４８】
すなわち、屋外設置ならば各デバイスに対する防水保護を強化する程度の配慮で足りる。また、屋内設置ならば特段の配慮も要せずに、半永久的な機能維持が可能となるので墓標装置の特質から要求される性能を容易に実現できる。なお、本装置をペット専用仕様として企画する場合、数年間の機能維持が保証できれば足りるという経験則もある。
【００４９】
さらに、再生手段３を任意に再生可能とするためのスイッチ６と、そのスイッチ６の操作に応じて起動し、１単位または所定単位の再生情報を再生して動作を終了する制御手段７を備えている。
【００５０】
本装置が構成する墓に墓参したユーザが、付帯装置に配設されたスイッチ６の操作をすれば、その操作に応じて制御手段７が１単位または所定単位の再生情報を再生して動作を終了する。したがって、対象を偲ぶ再生情報を、好みの設定番組を好みの設定回数だけ組み合わせて再生した後に終了させることが可能である。
【００５１】
それから、基部１の低い位置に、墓参する際に用いる仏具等の小物、遺影、あるいは遺骨を収納できるような収納凹部２が設けてあり、その収納凹部２の入り口は、蓋２１を嵌着して封緘することが可能である。なお、封緘機構の厳格さは収納物の性質に応じて格付けすればよい。例えば、墓参する都度に開閉しやすい構造と、数年間は開閉しない構造の区別があればなお使いやすい。
【００５２】
なお、本装置は墓石または墓石に相当する基部の材料として、御影石を用いるほか、美観、加工性、耐久性、およびコスト性に優れた材料があればそれを用いても構わない。
【００５３】
本考案の効果をまとめると、以下のとおりである。
１．予め記録しておいた故人またはペットに関連する画像および／または音声を、ユーザが墓参する都度、再生手段により再生することが可能である。したがって、葬られ祀られた対象を偲ぶ効果が格段に優れている。
【００５４】
２．対象を偲ぶ画像等が相当の情報量であっても、超小型軽量かつ簡便な情報記憶媒体に記憶できる。また、暗くても再生手段を安定して動作させることができる。
【００５５】
３．本装置の電源をＯＦＦしても記憶内容が消失しないので、たとえ、電源事情が不安定であっても、記憶内容を消失させずに済む。逆に、本装置のユーザ、メーカ、または管理者等の都合で任意に記憶内容を消去、または更新することが可能であるためレンタル、転売、反復利用も可能である。そして、風雪雨水に対する耐久性、コスト性、小型軽量性、薄型化による設計の容易性を実現し、墓に要求される半永久的な機能維持まで可能となる。
【００５６】
４．墓参するユーザは、スイッチを操作することにより、対象を偲ぶ画像等を１単位または所定単位の組み合わせにより再生して動作を終了する。したがって、対象を偲ぶ画像等のうち、好みの設定番組を、好みの設定回数だけ再生させることが可能である。
【００５７】
５．墓参する際に用いる仏具等の小物、遺影、あるいは遺骨を収納凹部に収納できる。その収納凹部の入り口は、蓋を嵌着して封緘することが可能である。
【００５８】
６．一般の個人が居住する室内、または庭にも設置することが可能である。
【図面の簡単な説明】
【００５９】
【図１】本実施形態に係る墓標装置の付帯装置を説明するブロック図である。
【図２】本実施形態に係る墓標装置の（ａ）正面図と、（ｂ）側断面図である。
【符号の説明】
【００６０】
１  （墓石または墓石に相当する）基部
２  収納凹部
３  再生手段
４  太陽電池
５  バッテリー
６  スイッチ
７  制御手段
２１  蓋
３１  情報記憶媒体
３２  復号化手段
３３  視聴覚表示手段
３４  画像再生手段
３５  画像信号処理部
３６  液晶表示部
３７  音声再生手段
３８  増幅機
３９  スピーカ
【図１】
0003125715.tif 000003
【図２】
0003125715.tif 000004